(57)【要約】【課題】  クレジットカード等の紛失や盗難による不正使用を防止するためのプリペイドカードシステムを提供する。【解決手段】  カード決済で物品購入をおこなう使用者の使用者端末と、クレジットカード会社のサーバーと、プリペイドカードの発行・決済仲介をおこなうプリペイドカード会社のサーバーと、物品販売をおこなう店舗の店舗端末とをネットワークで接続してプリペイドカードの発行処理をおこなう。プリペイド情報は、プリペイドカード会社のサーバーから使用者端末に転送され、使用者端末に接続するプリンタで、2次元バーコード印刷してプリペイドカードとする。店舗端末は、使用者のプリペイドカードを読取り、読み取ったプリペイド情報で、プリペイドカード会社のサーバーに照会をおこない、物品販売をおこなう。【選択図】図１
2005202444.tif 000002
【特許請求の範囲】
【請求項１】
使用者と店舗とクレジットカード会社とプリペイドカード会社の端末およびサーバーがネットワーク接続して与信販売をおこなうプリペイドカードシステムであって、
クレジットカード会社のサーバーを経由して使用者のプリペイドカード発行依頼を受信して、使用者の端末にプリペイド情報を送信するプリペイドカード会社のサーバーと、
クレジットカード会社のサーバーを経由してプリペイドカード会社のサーバーにプリペイドカード発行依頼を送信し、前記プリペイドカード会社のサーバーからプリペイド情報を受信して接続するプリンタに２次元バーコードとしてプリペイドカードを印刷する使用者端末と、
前記プリペイドカードからプリペイド情報を取得し、前記プリペイドカード会社のサーバーに照会をおこなう店舗端末とを備え、
前記プリペイドカードにより販売をおこなうことを特徴とするプリペイドカードシステム。
【発明の詳細な説明】
【技術分野】
【０００１】
本発明は、２次元バーコードを利用したプリペイドシステムに関する。
【背景技術】
【０００２】
様々な店舗でクレジットカードで決済する利用方法が普及しているが、近年、クレジットカードの盗難・紛失時の不正利用される問題や、磁気データを盗みとり偽造のクレジットカードを作成して不正利用される問題が発生している。
【０００３】
この問題を解決するために、特許文献１に開示されているように、ＡＴＭ等でクレジットカード決済でプリペイドカードを購入し、このプリペイドカードで店舗での決済をおこなう方法がある。
より詳しくは、特許文献１には、カード利用者が、ＡＴＭ端末から該クレジットカードでプリペイドカードを購入する。該プリペイドカードの利用代金は、該クレジットカード発行会社から、プリペイドカードを利用した店舗の銀行口座に振り込まれる。さらに、クレジットカード発行会社は、この振込み金額に対応する金額をクレジットカード決済銀行からクレジットカード発行会社の銀行口座へ振り込むカード決済システムが開示されている。
【０００４】
前記特許文献１によれば、クレジットカードと物品の購入時のプリペイドカードを別物にすることにより、クレジットカードの盗難や紛失があってもプリペイドカード使用時の本人認証を厳密にできるので、クレジットカードの信頼性を向上できる。また、プリペイドカードを紛失しても、プリペイドカード発行時の与信金額しか購入できないので、紛失や盗難による被害を少なくすることができる。
【０００５】
【特許文献１】特開２００１−２２２６６５号公報
【発明の開示】
【発明が解決しようとする課題】
【０００６】
しかしながら、上記技術では、プリペードカードをＡＴＭ等の専用端末により購入するため、プリペイドカード購入が限定され、使い勝手がよくないというの問題がある。
【０００７】
この発明は，かかる現状に鑑み創案されたものであって，その目的とするところは，安全性が高く簡易にプリペイドカードを発行できるプリペイドカード決済システムを提供しようとするものである。
【課題を解決するための手段】
【０００８】
上記課題を解決するために、本発明では、プリンタを接続したＰＣ等の端末からクレジットカード会社に接続して任意の金額のプリペイドカードの発行を依頼し、クレジットカード会社は、依頼のたびに発行依頼者の認証をおこなって与信をおこない、依頼された金額や与信番号を含むプリペイド情報を発行依頼者に送信し、発行依頼者は、受信したプリペイド情報を端末で印刷出力する。店舗では、前記プリペイド情報が印刷された用紙を、クレジットカードと同様に読取って決済をおこなう。
【０００９】
このとき、印刷されるプリペイド情報は、読取りが容易で、多くの情報を記録できる２次元バーコードを利用する。プリペイド情報として2次元バーコードを利用することにより、プリペイド金額や与信番号以外に、有効期限・決済店舗等の利用制限情報を含めることができる。また、プリペイド情報の暗号化が容易になり、複写以外の偽造を防止できる。
【発明の効果】
【００１０】
本発明により、オンラインでPCに接続するプリンタにクレジット会社からプリペイドカードの発行ができるので、発行場所を選ばずプリペイドカードを利便性が向上する効果や低コスト化がある。
【００１１】
また、プリペイドカードには2次元バーコードを印刷するので、多くの情報を含めることができプリペイド情報の安全性を高くできる。万一紛失して誤使用されても与信された金額以上使用できないので、損害が少ない。
【発明を実施するための最良の形態】
【００１２】
以下、添付図面に示す実施の一形態例に基づき、この発明を詳細に説明する。
図1は、本発明のプリペイドシステムの全体構成をしめす図である。プリペイドカードの使用者の使用者端末１は、以降で説明するプリペイド情報を印刷するプリンタが接続された使用者端末１により、インターネットを介して、クレジットカード会社サーバー2とプリペイドカード会社サーバー3に接続している。プリペイドカード会社から発行されたプリペイド情報は、使用者端末1のプリンタで印刷出力され、このプリペイドカードにより使用者は店舗8で物品を購入する。
【００１３】
クレジットカード会社サーバー2とプリペイドカード会社サーバー3と店舗端末4もそれぞれネットワークで接続され、カードの発行処理・カード認証・カード決済処理をおこなう。プリペイドカードの発行管理は、プリペイドカード会社サーバー3の発行ナンバ管理ＤＢ10によりおこなう。
【００１４】
つぎに図3のシーケンス図により、本発明のプリペイドカードシステムの全体処理を説明する。
プリペイドカードの使用者の使用者端末1は所有するPCから一定の金額のプリペイドカードの発行をクレジットカード会社サーバー2に依頼する。
【００１５】
図4に発行依頼処理の一例をしめす。図4(a)は、使用者PCの依頼画面の一例をしめす図であり、利用金額とクレジットカード番号を入力する。ここで、図示していないが、PCにカードリーダーが接続されている場合には、カードリーダーからクレジット番号を入力するようにしてもよい。また、カード暗証番号を入力したり、電子認証により本認証とカード認証をおこない、クレジットカードの不正利用を防止する。プリペイドカードの発行依頼時に、このプリペイドカードの利用店舗を登録するようにして、購入時に登録店舗のチェックをおこない不正使用を防止するようにしてもよい。また、プリペイドカードの有効期限を設定するようにしてもよい。
【００１６】
図4(b)において、プリペイドカードの発行依頼（ステップ31）をおこなった後に、クレジットカード会社は、前記カード認証あるいは使用者の本人認証をおこない、利用金額のプリペイドカードの発行を承認する。認証に失敗したり、クレジットカードに利用制限があった場合には、プリペイドカードの発行ができない旨を通知する。使用者が発行されてプリペイドカードを利用して店舗で物品の購入をおこなった際に、プリペイドカード会社サーバー3からカードの利用通知あるいは購入金額の決済依頼を受けて、クレジットカードと同様にカード利用者との間で代金決済をおこなう。
【００１７】
図3にもどり、使用者からプリペイドカードの発行依頼を受けたカード会社2は、クレジットカード番号をもとに使用者の認証と与信をおこない、プリペイド会社3にプリペイドカードの発行を依頼する。この時、クレジットカード会社サーバー2からプリペイドカード会社間で、決済をおこなってもよいが、プリペイドカードの利用の度に、クレジットカード会社サーバー2とプリペイドカード会社サーバー3で決済をおこなうほうが好ましい。
【００１８】
図5にプリペイドカード会社サーバー3の処理をしめす。図5（a）は、発行ナンバー管理ＤＢ10のひとつのデータ40を示す図であり、クレジットカード会社サーバー2から発行依頼ごとにデータ40が登録される。管理ＤＢのデータ40は、発行金額とカードＩＤとメールアドレスとから構成されている。ここで、発行金額は、使用者から発行依頼されたプリペイドカードの金額であって、クレジットカード会社が与信を与えたものである。後述するように、プリペイドカードにより物品が購入された場合には、物品の価格を減じたＤＢの更新をおこなう。また、メールアドレスは、プリペイドカードのプリペイド情報を使用者に通知する場合に使用し、予め使用者がプリペイドカード会社に登録したり、クレジットカード会社のカード発行依頼時に、クレジットカード会社から通知する。
【００１９】
図5（b）は、上記処理の一例をしめすものであり、41でカード会社から発行依頼を受けて，42でコード発行管理DBにID・アドレス・金額を格納する。そして，43で発行依頼された金額をカード会社から受け取る。このときデータベースに格納される内容は40である。
【００２０】
図3にもどり、プリペイドカード会社は、プリペイドカードの印刷データを、発行ナンバー管理ＤＢに登録されているメールアドレスに発行通知メールとして該印刷データを添付通知する。前記発行通知メールを受信したプリペイドカードの使用者の使用者端末1は、ＰＣに接続するプリンタにプリペイドカードを印刷する。
【００２１】
このプリペイドカードには、図6にしめすようなＱＲコード等の2次元バーコードが印刷された普通紙等の用紙でよい。2次元バーコードは、従来のバーコードに比べて多くの情報を記録できる特徴があり、プリペイド金額やカードＩＤ等の複数のプリペイド情報を記録でき、また、プリペイド情報の暗号化が可能となる。2次元バーコードを印刷したプリペイドカードは、コピーにより複製が可能であるが、カード利用時にプリペイドカード会社に照会をおこなうことで、不正利用の防止が可能となる。したがって、従来の磁気カードやＩＣカード等と同様の与信決済を、低コストで実現できる。上記のとおり、2次元バーコードには多くの情報量を記録できるので、安全性の向上のために、プリペイドカードの有効期限や使用可能な店舗コード等の利用限定情報を記録してもよい。
【００２２】
図3にもどり、上記印刷出力したプリペイドカードで店舗で物品購入をおこなう。店舗端末4は、図2にしめすように、プリペイドカードの2次元バーコードをスキャンし、認識したプリペイド情報を基に、プリペイドカード会社サーバー3に照会する。照会を受けたプリペイドカード会社は、不正使用のチェックをおこない、問題なければ発行ナンバー管理ＤＢ10のデータに対して発行金額を購入金額で減額するデータ更新をおこない、店舗端末4に対して応答する。店舗端末4は、使用者に、紹介結果により物品を販売し、プリペイドカードに残高を記載して返却する。
【００２３】
図7は、上記店舗での処理を説明する図であり、特に図7(ａ)のように発行ナンバー管理ＤＢ10のデータに、残高を含めるようにしてもよい。
【図面の簡単な説明】
【００２４】
【図１】この発明の実施の一形態例に係わるプリペイドカード決済システムの決済フロー図である。
【図２】この発明のカードの認証を行う手順を示したフロー図である。
【図３】コード・金銭遷移図である。
【図４】コード発行依頼Webページ画面及びフロー図である。
【図５】決済システムの概要図である。
【図６】２次元コードの一例をしめす図である。
【図７】決済フロー図及びデータベースをしめす図である。
【符号の説明】
【００２５】
１：使用者端末、２：クレジットカード会社サーバー、
３：プリペイドカード会社サーバー、４：店舗端末
【図１】
2005202444.tif 000003
【図２】
2005202444.tif 000004
【図３】
2005202444.tif 000005
【図４】
2005202444.tif 000006
【図５】
2005202444.tif 000007
【図６】
2005202444.tif 000008
【図７】
2005202444.tif 000009